(57)【要約】【課題】　略矩形状の色選別電極素体を有するカラー陰極線管用の色選別電極構体と、フロントパネルとの相対位置を求めるための、色選別電極構体の形状の測定を短時間で、かつ高精度に行う。【解決手段】　固定支持手段（１２、１４）が、色選別電極素体の表面の一方の対角近傍に設定される一対の測定箇所に当接可能な一対の支持点を有し、可動支持手段（１３、１５）が、基準平面と平行な同一の移動平面に属して、基準平面の法線方向に移動可能に形成され、色選別電極素体の表面の他方の対角近傍に設定される一対の測定箇所に当接可能な一対の支持点を有し、移動駆動手段（２０）が、可動支持手段を前記法線方向に移動駆動し、測定手段（２２）が、前記可動支持手段の移動量（ｈａ）を測定する。【選択図】　　　　図３
2004139982.tif 000002
【特許請求の範囲】
【請求項１】
　略矩形状の色選別電極素体を有するカラー陰極線管用の色選別電極構体の形状を測定する測定装置であって、
　同一の基準平面に属して、前記色選別電極素体の表面の、一方の対角近傍に設定される一対の測定箇所に当接可能な一対の支持点を有する固定支持手段と、
　前記基準平面と平行な同一の可動平面に属して、前記基準平面の法線方向に移動可能に形成され、前記色選別電極素体の表面の他方の対角近傍に設定される一対の測定箇所に当接可能な一対の支持点を有する可動支持手段と、
　前記可動支持手段を前記基準平面の法線方向に移動駆動する移動駆動手段と、
　前記可動支持手段の支持点の移動量を測定する測定手段と
　を有することを特徴とするカラー陰極線管用の色選別電極構体の測定装置。
【請求項２】
　前記測定手段が、前記固定支持手段の支持点と前記可動支持手段の支持点とが同時にそれぞれ対応する前記測定箇所に当接したときの、前記基準平面に対する前記可動支持手段の支持点の相対位置を計測し、該相対位置に基づいて前記色選別電極構体の平均平面の、前記基準平面に対する高さを算出することを特徴とする請求項１記載のカラー陰極線管用の色選別電極構体の測定装置。
【請求項３】
　更に、前記相対位置に基づいて前記色選別電極構体の捩じれを算出することを特徴とする請求項２記載のカラー陰極線管用の色選別電極構体の測定装置。
【請求項４】
　略矩形状の色選別電極素体を有するカラー陰極線管用の色選別電極構体の形状を測定する測定方法であって、
　同一の基準平面に属して、前記色選別電極素体の表面の、一方の対角近傍に設定される一対の測定箇所を、固定支持手段の一対の支持点で支持し、
　前記基準平面と平行な同一の可動平面に属して、前記基準平面の法線方向に移動可能に形成され、前記色選別電極素体の表面の他方の対角近傍に設定される一対の測定箇所に当接可能な一対の支持点を有する可動支持手段を、前記基準平面の法線方向に移動させ、
　前記可動支持手段の支持点の移動量を測定する
　ことを特徴とするカラー陰極線管用の色選別電極構体の測定方法。
【請求項５】
　前記固定支持手段の支持点と前記可動支持手段の支持点とが、同時にそれぞれ対応する前記測定箇所に当接したときの、前記基準平面に対する前記可動支持手段の支持点の相対位置を計測し、該相対位置に基づいて前記色選別電極構体の平均平面の、前記基準平面に対する高さを算出することを特徴とする請求項４記載のカラー陰極線管用の色選別電極構体の測定方法。
【請求項６】
　更に、前記相対位置に基づいて前記色選別電極構体の捩じれを算出することを特徴とする請求項５記載のカラー陰極線管用の色選別電極構体の測定方法。
【発明の詳細な説明】
【技術分野】
【０００１】
　本発明は、カラー陰極線管用の色選別電極構体に支持スプリングを溶接する際に、その取付け位置を決めるためのデータとなる色選別電極構体の形状を測定するための測定装置及び測定方法に関する。
【背景技術】
【０００２】
　従来、アパーチャグリル（色選別電極構体）に、パネル取付け用のスプリングを溶着する際に、パネル（フロントパネル）のスカート部に取着された３つのピンを含む平面を基準としたパネル部の複数の測定箇所の位置を測定し、所定の基準平面に対するグリル（色選別電極素体）の複数の測定箇所の位置を測定し、それらの各測定結果に基づいて、各スプリングを溶着するアパーチャグリルのメンバーの箇所で、ピン及びスプリングを介してパネルにアパーチャグリルを取付けた際に、パネル部とグリルの互いに対向する測定箇所同士の間隔が、設計値通りとなる箇所を割出すようにしている（例えば、特許文献１参照）。
【０００３】
【特許文献１】特開平８−３１３１８号公報（第１頁、図３、図５）
【発明の開示】
【発明が解決しようとする課題】
【０００４】
　上記のように、従来、フロントパネル内面の測定点と色選別電極構体の測定点との相対位置を求めるためには、色選別電極構体を支持点にて支持し、色選別電極構体の色選別電極素体の表面の複数箇所を測定点として個別に測定していた。
【０００５】
　しかしながら、上記の方法では、色選別電極構体内面の複数の測定点を個別に測定する測定器が必要であり、測定工程に時間を要していた。
【０００６】
　本発明の目的は、上記の課題を解決し、色選別電極構体に支持スプリングを取付ける工程において、フロントパネルと、これに対向する色選別電極構体との相対位置を求めるために必要な色選別電極の形状の測定に用いられる測定装置を簡略化すると共に、測定工程時間を短縮化して生産性を向上させ、更に、色選別電極構体の平均平面の測定精度を上げることにある。
【課題を解決するための手段】
【０００７】
　本発明のカラー陰極線管用の色選別電極構体の測定装置は、
　略矩形状の色選別電極素体を有するカラー陰極線管用の色選別電極構体の形状を測定する測定装置であって、
　同一の基準平面に属して、前記色選別電極素体の表面の、一方の対角近傍に設定される一対の測定箇所に当接可能な一対の支持点を有する固定支持手段と、
　前記基準平面と平行な同一の可動平面に属して、前記基準平面の法線方向に移動可能に形成され、前記色選別電極素体の表面の他方の対角近傍に設定される一対の測定箇所に当接可能な一対の支持点を有する可動支持手段と、
　前記可動支持手段を前記基準平面の法線方向に移動駆動する移動駆動手段と、
　前記可動支持手段の支持点の移動量を測定する測定手段と
　を有する。
【０００８】
　また、本発明のカラー陰極線管用の色選別電極構体の測定方法は、
　略矩形状の色選別電極素体を有するカラー陰極線管用の色選別電極構体の形状を測定する測定方法であって、
　同一の基準平面に属して、前記色選別電極素体の表面の、一方の対角近傍に設定される一対の測定箇所を、固定支持手段の一対の支持点で支持し、
　前記基準平面と平行な同一の可動平面に属して、前記基準平面の法線方向に移動可能に形成され、前記色選別電極素体の表面の他方の対角近傍に設定される一対の測定箇所に当接可能な一対の支持点を有する可動支持手段を、前記基準平面の法線方向に移動させ、
　前記可動支持手段の支持点の移動量を測定する
　ことを特徴とする。
【発明の効果】
【０００９】
　本発明のカラー陰極線管用色選別電極構体の測定装置及び方法によれば、色選別電極構体をフロントパネルに取り付けた際に、フェースプレートとこの色選別電極構体との間隔を所望の値とすべく、支持手段である支持スプリングを取付けるのに必要なデータである、色選別電極構体の基準平面に対する平均平面の位置を、容易にかつ高精度に求めることが可能となる。
【発明を実施するための最良の形態】
【００１０】
実施の形態１．
　図４は、本発明のカラー陰極線管用の色選別電極構体の測定装置によってその形状が測定される色選別電極構体とこれに取り付けられた支持スプリングを示す外形斜視図である。
【００１１】
　同図に示すように、色選別電極構体１は、主に、概して矩形の色選別電極素体２とフレーム３から構成されている。フレーム３は、鋼材で形成され、色選別電極素体２の一対の長辺とそれぞれ溶接により接合されてこれを保持する一対の水平部材（Ｈメンバー）３ａと、色選別電極素体２が緊張した状態で保持されるように、この一対のＨメンバー３ａを互いに連結する一対の垂直部材（Ｖメンバー）３ｂとで構成されている。
【００１２】
　色選別電極素体２は、短辺と平行に、スリット状の開口とテープ状の条片とが交互に配列した形状を有する。
　フレーム３の各Ｈメンバー３ａ及びＶメンバー３ｂには、後述する方法で、各々が取付けピン孔４ａを有する４つの支持スプリング４が、保持プレート９を介して配設され、取付けられている。支持スプリング４と保持プレート９とで支持手段が構成されている。
【００１３】
　一対のＨメンバー３ａに溶接され、これと重なった状態にある色選別電極素体２の一対の長辺部分には、色選別電極素体２の四隅近傍において、後述する４つの測定点（測定ポイント）Ｃ１，Ｃ２，Ｃ３，Ｃ４が設定されている。
【００１４】
　図５は、この色選別電極構体１を、カラー陰極線管の外囲器の一部を構成するフロントパネル５に取付けた状態を示す構成図である。
【００１５】
　同図に示すように、フロントパネル５は、映像が表示されるフェースプレート６と、フェースプレート６に連続して枠状に形成されたスカート部７とからなる。このスカート部７の内側において、前記した４つの支持スプリング４に対向する所定位置には、パネルピン８がそれぞれ形成されている。そして、色選別電極構体１のパネル５への取付けは、各パネルピン８をそれぞれ対応する支持スプリング４のピン孔４ａに嵌入させることにより行われる。
【００１６】
　従って、色選別電極構体１がパネル５に取付けられた段階で、パネル５のフェースプレート６の平均平面と色選別電極構体１の色選別電極素体２の平均平面との間隔乃至距離Ｑは、支持スプリング４の色選別電極構体１への取付け位置によって左右されることになる。
　本発明は、カラー陰極線管の製造において、間隔Ｑが所望の値Ｑｔとなるように、支持スプリング４を色選別電極構体１に取付けるために必要な、色選別電極の形状の測定のための装置及び方法を提供するものである。
【００１７】
　図１は、本発明によるカラー陰極線管用の色選別電極構体の測定装置の要部構成を示す構成図であり、図２はその平面図である。
【００１８】
　図１、図２に示すように、測定装置１０の略水平に延在する板状の基台１１には、後述するように、色選別電極構体１を、その色選別電極素体２の前面側が下方を向く状態で且つ該前面が略水平となるように載置させて支持するための固定支持部１２，１４と可動支持部１３，１５が配設されている。
【００１９】
　固定支持部１２，１４は、それぞれ、図４に示す色選別電極構体１の測定ポイントＣ１，Ｃ３を支持すべく、色選別電極素体２が占める矩形の領域の一方の対角の近傍に位置し、基台１１に植立された基準台乃至保持部１７，１８の先端部に形成されている。そして各固定支持部１２，１４の各先端はエッジ状とされ、その先端の稜線が、載置される色選別電極構体１の短辺と平行となる向きに形成されている。固定支持部１２、１４の先端は、同一の基準平面に属して、色選別電極素体２の表面の、一方の対角近傍に設定される一対の測定箇所Ｃ１、Ｃ３に当接可能な一対の支持点を構成する。
【００２０】
　なお、固定支持部１２、１４と基準台１７、１８とで固定支持手段が構成されている。
【００２１】
　可動支持部１３，１５は、それぞれ、図４に示す色選別電極構体１の測定ポイントＣ２，Ｃ４を支持すべく、色選別電極素体２が占める矩形の領域の他方の対角の近傍に位置し、連結部材１６の両先端部１６ａ，１６ｂによって保持され、一体的に連結されている。この連結部材１６は、略コ字状に形成され、測定ポイントＣ２，Ｃ４に対応する位置に形成された基台１１及び基台１１に固定された直動ガイド２１を貫通して直動ガイド２１にガイドされ、可動支持部１３，１５を基台１１の法線方向、従って色選別電極素体２の前面の法線方向である矢印Ａ，Ｂ方向にスライド可能に保持されている。そして各可動支持部１３，１５の各先端はエッジ状とされ、その先端の稜線が、載置される色選別電極構体１の短辺と平行となる向きに形成されている。可動支持部１３、１５の先端は、基準平面と平行な同一の可動平面に属して、基準平面の法線方向に移動可能に形成され、色選別電極素体２の表面の他方の対角近傍に設定される一対の測定箇所Ｃ２、Ｃ４に当接可能な一対の支持点を構成する。
【００２２】
　アクチュエータ２０は、基台１１の法線方向、従って色選別電極素素体２の前面の法線方向である矢印Ａ，Ｂ方向に可動支持部１３，１５を一体的に移動すべく連結部材１６をスライド駆動する。
　制御装置２２は、このアクチュエータ２０を駆動制御すると共に、後述する、色選別電極の形状の測定及び測定結果に基づく演算を行う。
【００２３】
　なお、可動支持部１３、１５で可動支持手段が構成され、連結部材１６及びアクチュエータ２０で移動駆動手段が構成され、そして制御装置２２で測定手段が構成されている。
【００２４】
　図３は、固定支持部１２，１４のエッジ状の先端、即ち支持点の位置（高さ）と可動支持部１３，１５のエッジ状の先端、即ち支持点の位置（高さ）の関係を説明するための図である。
【００２５】
　同図に示すように、固定支持部１２，１４のエッジ状の各先端（支持点）は、基台１１の平面と平行なフレーム基準平面２５上に位置し、可動支持部１３，１５は、このフレーム基準平面に対して同値の高さｈ（基準平面より低い場合は負の値）を保って、フレーム基準平面２５の法線方向（矢印Ａ，Ｂ方向）にスライド移動するように構成されている。従って、この可動支持部１３，１５のエッジ状の各先端（支持点）も、フレーム基準平面２５と平行なフレーム可動平面２６上に位置する。
【００２６】
　以上の構成において、色選別電極構体１の基準平面に対する平均平面の位置ないし高さを求める方法について説明する。
【００２７】
　先ず、可動支持部１３，１５のエッジ状の先端を、固定支持部１２，１４のエッジ状の先端、即ちフレーム基準平面２５に対して僅かに（数ｍｍ程度）但し十分に、低い位置に位置させる。このときの可動支持部１３、１５の位置を初期位置と言う。
【００２８】
　この状態で、色選別電極構体１の測定ポイントＣ１，Ｃ３がそれぞれ固定支持部１２，１４に対応し、そして測定ポイントＣ２，Ｃ４がそれぞれ可動支持部１３，１５にそれぞれ対応するように載置する。従って、このとき、色選別電極構体１は、固定支持部１２，１４と、可動支持部１３，１５のどちらか一方とによる３点によって３点支持されることになる。これは、上記のように可動支持部１３、１５の初期位置が十分に低い位置に設定されているからである。言いかえると、上記の「十分に」の意味は以下のとおりである。即ち、色選別電極構体１に捩れがなければ、測定ポイントＣ１、Ｃ２、Ｃ３、Ｃ４はすべて同じ平面内にある。捩れがあれば、測定ポイントＣ１、Ｃ３に対して、測定ポイントＣ２、Ｃ４はずれた位置、即ち図１の状態でより低い位置又はより高い位置にある。この高さの差は、許容される製造上のばらつきの範囲内にある。許容される製造上のばらつきの範囲にある如何なる色選別電極構体の場合にも、可動支持部１３，１５の少なくとも一方の先端が測定ポイントＣ２、Ｃ４に接しないように、十分低い位置に上記初期位置が設定される。
【００２９】
　この状態から、可動支持部１３，１５を徐々に上昇させていく。すると、やがて、固定支持部１２，１４と可動支持部１３，１５のすべてが、同時にそれぞれ対応する色選別電極構体１の測定ポイントＣ１，Ｃ３，Ｃ２，Ｃ４に当接する４点支状態に到達する。
【００３０】
　制御装置２２は、上記した４点支持状態となるときの可動支持部１３，１５の位置の、フレーム基準平面２５に対する高さｈａを測定する。この高さｈａは、正の値とは限らず、負の値となることもある。フレーム基準平面２５に対する、固定支持部１２，１４及び可動支持部１３，１５の各位置の高さΔｈ１２，Δｈ１４，Δｈ１３，Δｈ１５は、以下の式で与えられる。
　Δｈ１２＝Δｈ１４＝０、Δｈ１３＝Δｈ１５＝ｈａ
　この時の色選別電極構体１の平均平面の高さΔｈａを
　Δｈａ＝（Δｈ１２＋Δｈ１３＋Δｈ１４＋Δｈ１５）／４＝ｈａ／２
　で求め、
　色選別電極構体１の捩じれＮａを
　Ｎａ＝（Δｈ１２−Δｈ１３＋Δｈ１４−Δｈ１５）／４＝−ｈａ／２
　で求める。
【００３１】
　次に、以上のようにして求められた色選別電極構体１の平均平面の高さΔｈａ、捩じれＮａを示すデータを用いて、支持スプリング４を保持プレート９を介してフレーム３（図４）に取付ける際の、取付け位置の算出方法について説明する。
【００３２】
　図５において、フロントパネル５のフェースプレート６には、各々が色選別電極構体１の各測定ポイントＣ１，Ｃ２，Ｃ３，Ｃ４を通り、管軸１００と平行な仮想線Ｚ１、Ｚ２、Ｚ３、Ｚ４と交わる位置において、これらの各測定ポイントに対向する測定ポイントＰ１，Ｐ２，Ｐ３，Ｐ４が設定されている。
【００３３】
　フロントパネル５について、例えば、前記した色選別電極構体１の場合と同様の測定方法によって、各測定ポイントが４点支持される４点支持状態における各測定ポイントＰ１，Ｐ２，Ｐ３，Ｐ４の高さ、ΔｈＰ１，ΔｈＰ２，ΔｈＰ３，ΔｈＰ４を測定する。
【００３４】
　従って、この時のフロントパネル５のパネル基準平面に対する平均平面の高さΔｈｐは、
　Δｈｐ＝ｈｐ／２
　となり、
　フロントパネル５の捩じれＮｐは
　Ｎｐ＝−ｈｐ／２
　となる。
【００３５】
　更に、上記したフロントパネル５の基準平面からパネルピン８までの距離Ｓをも測定する。そして、上記のようにして求められた距離Ｓ、色選別電極構体１の基準平面に対する平均平面の高さΔｈａ、フロントパネル５の基準平面に対する平均平面高さΔｈｐをもとに、色選別電極構体１の平均平面とフロントパネル５の平均平面との間隔Ｑが所望の値Ｑｔとなるように、図示しない取付け治具によって支持スプリング４を保持プレート９を介してフレーム３に、例えば、フレーム３に固定された保持プレート９に取付ける。
　以下この点につき図５を参照して詳述する。図５において、フロントパネル５の基準平面Ｐｒからパネルピン８までの距離Ｓと、色選別電極構体１の平均平面Ａａとフロントパネル５の平均平面Ｐａとの間隔Ｑと、色選別電極構体の基準平面Ａｒから支持スプリング４のピン孔４ａまでの距離Ａと、色選別電極の基準平面Ａｒに対する平均平面Ａａの高さΔｈｐと、色フロントパネル５の基準平面Ｐｒに対する平均平面Ｐａの高さΔｈａとの間には以下の関係がある。
　Ａ＝Ｓ＋Δｈａ−Ｑ−Δｈｐ
　従って、支持スプリング４を保持プレート９を介してフレーム３に取付けた際、色選別電極構体１の平均平面とフロントパネル５の平均平面との間隔Ｑが所望の値Ｑｔとなるようにするためには、色選別電極構体の基準平面から支持スプリング４の孔（ピン８に嵌合する）までの距離Ａを以下のような値とする必要がある。
　Ａ＝Ｓ＋Δｈａ−Ｑｔ−Δｈｐ
　即ち、距離Ａが上記のような値となるように、支持スプリング４を色選別電極構体１に溶接することにより、色選別電極構体１の平均平面とフロントパネル５の平均平面との間隔Ｑを所望の値Ｑｔとすることができる。
【００３６】
　尚、算出された色選別電極構体１の捩じれＮａとフロントパネル５の捩じれＮｐは、それぞれの捩じれの特性を同基準のもとに示すものであるため、色選別電極構体１とフロントパネル５とを組み立てて陰極線管を製造する際には、各捩じれＮａ、Ｎｐの数値がなるべく近いもの同士を組合わせることが好ましい。
【００３７】
　また、本実施の形態の説明では、フレーム基準平面２５とパネル基準平面とが正確に平行な場合を想定して説明したが、これに限定されるものではなく、これ等が非平行の場合には、各測定値に対してこの平行に対する誤差分（傾き）を補正するよう考慮して計算することにより、同様の結果を得ることができる。
【００３８】
　更に、上記の実施の形態において、４点支持状態となったことの検出は、操作者の目視で行っても良いし、また、固定支持部及び可動支持部の各先端に接触センサを配設して行なっても良い。
【００３９】
　更に、上記の実施の形態の説明では、フレーム３に固定された保持プレート９への支持スプリング４の取付け位置を調整することで、フロントパネル５の平均平面Ｐａと色選別電極構体２の平均平面Ａａとの間隔Ｑを所望の値Ｑｔにするようにしているが、このようにする代りに、例えば、この支持スプリング４を所定位置に固定した保持プレート９のフレーム３への取り付け位置を調整するようにしても良く、さらに他の種々の態様を取り得る。
【図面の簡単な説明】
【００４０】
【図１】本発明によるカラー陰極線管用の色選別電極構体の測定装置の実施の形態１の要部構成を示す構成図である。
【図２】図１に示す測定装置の平面図である。
【図３】固定支持部１２，１４のエッジ状の先端の位置と可動支持部１３，１５のエッジ状の先端の位置の関係を説明するための説明図である。
【図４】本発明のカラー陰極線管用の色選別電極構体の測定装置によって測定される色選別電極構体の要部構成を示す外形斜視図である。
【図５】色選別電極構体１を、カラー陰極線管の外囲器を構成するフロントパネル５に取付けた状態を示す構成図である。
【符号の説明】
【００４１】
　１　色選別電極構体、　２　色選別電極素体、　３　フレーム、　３ａ　Ｈメンバー、　３ｂ　Ｖメンバー、　４　支持スプリング、　４ａ　取付けピン孔、　５　フロントパネル、　６　フェースプレート、　７　スカート部、　８　パネルピン、　９　保持プレート、　１０　測定装置、　１１　基台、　１２，１４　固定支持部、　１３，１５　可動支持部、　１６　連結部材、　１６ａ，１６ｂ　先端部、　１７，１８　基準台、　２０　アクチュエータ、　２１　直動ガイド、　２２　制御装置、　２５　フレーム基準平面、　２６　フレーム可動平面。
【図１】
2004139982.tif 000003
【図２】
2004139982.tif 000004
【図３】
2004139982.tif 000005
【図４】
2004139982.tif 000006
【図５】
2004139982.tif 000007